(57)【特許請求の範囲】
【請求項１】
２枚の基板の間に液晶層が挟持され、前記２枚の基板のうち一方の基板の外面には全方位からの入射光を散乱させる光拡散性が異なる第１散乱層及び第２散乱層並びに偏光板が配置され、他方の基板側には反射層を具備する液晶装置において、
前記第２散乱層は前記第１散乱層よりも前記液晶層側に配置されてなり、
前記第１散乱層は前記偏光板よりも前記液晶層側に配置されてなり、
前記第２散乱層は前記光拡散性に指向性を有することを特徴とする液晶装置。
【請求項２】
前記偏光板と前記第１散乱層の間に位相差板を配置したことを特徴とする請求項１に記載の液晶装置。
【請求項３】
基板の外面に全方位からの入射光を散乱させる光拡散性が異なる第１散乱層及び第２散乱層並びに偏光板が配置されたアクティブマトリクス型装置用基板において、
前記第２散乱層は前記第１散乱層よりも前記基板側に配置されてなり、
前記第１散乱層は前記偏光板よりも前記基板側に配置されてなり、
前記第２散乱層は前記光拡散性に指向性を有することを特徴とするアクティブマトリクス型装置用基板。
【請求項４】
請求項１に記載の液晶装置又は請求項２に記載のアクティブマトリクス型装置用基板を搭載した電子機器。
【発明の詳細な説明】
【０００１】
【発明の属する技術分野】
本発明は反射型液晶装置及びこの液晶装置を用いた電子機器に関する。
【０００２】
【従来の技術】
従来、反射型の液晶装置としては、２枚の透明基板の間に液晶層を封止してなる液晶セルの背面側に反射板を配置したものが多く利用されている。このような反射型の液晶装置においては、液晶層の種類や駆動方式などに応じて、液晶セルの前後に偏光板を配置したり、液晶装置の前面側のみに偏光板を配置したり、偏光板を全く必要としなかったりする場合がある。
【０００３】
このような形式の反射型液晶装置においては、外光が前面側の透明基板を通して液晶層に入射し、裏面側の透明基板を透過して反射板にて反射された後、再び裏面側の透明基板、液晶層、前面側の透明基板を通過して視認される。この場合に、液晶層と反射板の反射面の間には裏面側の透明基板の厚さ分だけ間隔が生じるため、外光の入射角度によっては入射時において通過する液晶層の画素領域もしくはドット領域と、反射後に通過する液晶層の画素領域もしくはドット領域とが異なるので、いわゆる視差による表示のにじみやダブルイメージなどが発生するという問題点がある。
【０００４】
上記のような問題点を解決する手法としては、特開平５−３２３３７１号公報や特開平９−１１３８９３号公報に記載されているように、外光を反射させる反射板を液晶セルの内面に設けて、視差をなくすというものがある。
【０００５】
【発明が解決しようとする課題】
ところが、特開平５−３２３３７１号公報に記載されている反射型の液晶装置においては、反射電極に凹凸を付与して光拡散性を持たせているので、プロセスが複雑になり、コストが増すという問題がある。反射電極の金属感や鏡面感をなくすには凹凸の高さや間隔、配列など非常に複雑な設計が必要になる。凹凸の高低さを激しくしすぎると、これに起因する液晶配向の乱れも生じる。
【０００６】
上記問題点を解決する１つの手段が特開平９−１１３８９３号公報である。この公報によると、反射電極は鏡面状態にしておいて、光拡散性を液晶セル前面の光制御フィルムに依存させるというものである。しかし、特開平９−１１３８９３号公報に記載されている反射型の液晶装置においては、異なる屈折率を有する２種類の微小領域から構成される光制御フィルムを液晶セルの前面に配置しているので、拡散光が全くない方向が存在し、視野角が狭いという問題点を有している。これは、特定方向からの入射光は散乱されるが、その他の方向からの光は散乱されないためである。さらに、光制御フィルムの光拡散性を上げて広視野角化をはかろうとすると、表示のにじみ（ボケ）が発生するという問題点がある。この光制御フィルムは反射板の鏡面感や金属感をなくし、外光の正反射方向でなくとも明るい表示を得るために用いているわけであるが、この光制御フィルムの光拡散性が大きすぎると、異なる各画素での異なる情報が人間の目で認識されるまでに混在してしまう。つまり、隣り合う画素で白表示と黒表示をそれぞれ行っていたとすると、光制御フィルムのために、白表示と黒表示の境界がわかりにくくなり、表示がぼけてしまう。光制御フィルムによる光拡散性が強すぎると表示のにじみ（ボケ）が顕著になり、逆に弱すぎると反射板の鏡面感や金属感が残り、液晶装置の視野角も狭くなってしまう。
【０００７】
また、近年の携帯機器やＯＡ機器の発展に伴って液晶表示のカラー化が要求されるようになっており、反射型液晶装置を用いるような機器においてもカラー化が必要な場合が多い。ところが、特開平９−１１３８９３号公報に記載されている液晶装置とカラーフィルタを組み合わせた方法では、視野角が狭く、さらに光制御フィルムによる散乱のために、表示のにじみ（ボケ）が発生してしまい、十分な発色を得ることができないという問題点がある。
【０００８】
その他、特開平７−２８０５５号公報や特開平７−３６０６０号公報に記載されているように、拡散板も液晶セル内面へ形成して、表示のにじみ（ボケ）を抑制する方法が提案されているが、これはコスト高になったり、信頼性が低下したり、所望の散乱特性が得にくいなどの問題があり、実用化には至っていない。
【０００９】
そこで本発明は上記問題点を解決するものであり、広視野角で明るく、表示のにじみ（ボケ）や混色などのない反射型の液晶装置を提供することにある。また、この液晶装置を用いた電子機器を提供することにある。
【００１０】
【課題を解決するための手段】
上記課題を解決するために本発明が講じた手段は、以下の通りである。
【００１１】
本発明の液晶装置は、２枚の基板の間に液晶層が挟持され、前記２枚の基板のうち一方の基板の外面には全方位からの入射光を散乱させる光拡散性が異なる第１散乱層及び第２散乱層並びに偏光板が配置され、他方の基板側には反射層を具備する液晶装置において、前記第２散乱層は前記第１散乱層よりも前記液晶層側に配置されてなり、前記第１散乱層は前記偏光板よりも前記液晶層側に配置されてなり、前記第２散乱層は前記光拡散性に指向性を有することを特徴とする。また、基板の外面に全方位からの入射光を散乱させる光拡散性が異なる第１散乱層及び第２散乱層並びに偏光板が配置されたアクティブマトリクス型装置用基板において、前記第２散乱層は前記第１散乱層よりも前記基板側に配置されてなり、前記第１散乱層は前記偏光板よりも前記基板側に配置されてなり、前記第２散乱層は前記光拡散性に指向性を有することを特徴とする。
【００１２】
この手段によれば、光拡散性の異なる２つの散乱層を配置しているので、１つの散乱層では実現することが困難であった特定の方向に指向性を持ちながら視野角が広い反射型液晶装置を実現することができる。さらに、表示のにじみ（ボケ）や混色などを抑えた反射型の液晶装置をつくることができる。また、第２散乱層によって観察者に対して最適方向に外光を拡散させ、第１散乱層によって広角に外光を拡散させ広視野角の反射型液晶装置を実現することができる。例えば、第２散乱層には、住友化学工業株式会社製光制御フィルム（商品名：ルミスティ）などが適しており、第１散乱層は、透明樹脂に屈折率の異なる微小粒子を拡散させたフィルムなどが適している。なお、光制御フィルム特有の光干渉による色付きやぎらつきを抑えるために、第１散乱層を観察者側に配置するのが好ましい。
【００１３】
さらに、散乱板はそれぞれ単体でなくともよく、位相差板と散乱体が一体になったようなものでもよい。また、位相差板や偏光板の粘着層に光拡散性を持たせたものでもよい。
【００１４】
なお、反射層が画素電極を兼ねていてもよい。このようにすることによって、新たに画素電極を形成する必要がなく、低コストで液晶装置を製造することができる。また、反射層と第１基板の間にカラーフィルタを形成してもよい。このようにすることによって、反射型カラー表示を実現することができる。
【００１５】
また、散乱層は、Ａｓｉａ  Ｄｉｓｐｌａｙ９５，ｐｐ５９９−ｐｐ６０２で東北大学内田教授らが発表しているような、入射光側への散乱（後方散乱）がなく、前方散乱が主であるものがより好ましい。
【００１６】
次に、本発明に用いる散乱層について述べる。散乱層は積分球式光線透過率測定装置によって測定された全光線透過率と散乱光透過率の比で求められる曇価（ヘイズ）を適当に選択することによって、表示のにじみ（ボケ）を抑制することができる。ヘイズが小さすぎると反射層の鏡面感や金属感が残ってしまい、明るく高画質な表示が得られない。一方、ヘイズが大きすぎると表示のにじみ（ボケ）を抑えるのが困難となり、鮮明でコントラストが高い高画質な表示が得られない。実験によると、好ましいヘイズの範囲は、それぞれの散乱層単体で３％以上５０％以下であった。
【００１７】
また、第１散乱層と第２散乱層の間に偏光板を配置しているので、高いコントラストの反射型液晶装置を得ることができる。さらに、偏光板と第１基板の間に位置する散乱層による後方散乱光のうち約半分を吸収する効果が偏光板にはある。これによって、散乱層の後方散乱によるコントラストの低下を抑えることができる。また、反射型液晶装置の表面に配置される散乱層は、通常、偏光板の最表面に施すアンチグレア処理の役目を兼ねることができるので、コストを低くすることができる。特に、偏光板と第１基板の間に位置する散乱層を特定方向の入射光のみ散乱させる指向性フィルム（光制御フィルム）とし、反射型液晶装置の最表面に位置する散乱層を概ね全方位からの入射光を散乱させる等方性フィルムとすることで、広視野角で明るく、表示のにじみ（ボケ）や混色などのない反射型表示を実現することができる。
【００１８】
本発明の電子機器は、上記液晶装置を搭載したことを特徴とする。
【００１９】
この手段によれば、広視野角で明るく、表示のにじみ（ボケ）や混色などのない反射型表示のできる液晶装置を用いた電子機器を実現することができる。
【００２０】
【発明の実施の形態】
次に、添付図面を参照して本発明に係る実施形態について説明する。
【００２１】
（第１実施形態）
図１は本発明に係る液晶装置の第１実施形態の構造を示す概略縦断面図である。この実施形態は基本的に単純マトリクス型の液晶表示装置に関するものであるが、同様の構成によりアクティブマトリクス型の装置や他のセグメント型の装置、その他の液晶装置にも適用することは可能である。
【００２２】
この実施形態では、２枚の基板１０１、１０２の間に液晶層１０５が枠状のシール材１０４によって封止された液晶セルが形成されている。液晶層１０５は、所定のツイスト角を持つネマチック液晶で構成されている。上側の透明基板１０１の内面上にはカラーフィルタ１１０が形成され、このカラーフィルタには、Ｒ（赤）、Ｇ（緑）、Ｂ（青）の３色の着色層が所定パターンで配列されている。カラーフィルタの表面上には透明な保護膜１１１が被覆されており、この保護膜の表面上に複数のストライプ状の透明電極１１２がＩＴＯなどにより形成されている。透明電極１１２の表面上には配向膜が形成され、所定方向にラビング処理が施されている。また、上側の透明基板１０１の外面上に偏光板１０６、位相差板１０７、第１散乱板１０８、第２散乱板１０９が配置されている。
【００２３】
一方、下側基板１０２の内面上には、上記カラーフィルタの着色層毎に形成されたストライプ状の反射電極１０３が上記透明電極１１２と交差するように複数配列されている。ＭＩＭ素子やＴＦＴ素子を備えたアクティブマトリクス型の装置である場合には、各反射電極１０３は矩形状に形成され、アクティブ素子を介して配線に接続される。この反射電極１０３はＣｒやＡｌなどにより形成され、その表面は透明基板１０１の側から入射する光を反射する反射面となっている。反射電極１０３の表面上には上記と同様の配向膜が形成される。
【００２４】
まず、第１散乱板１０８、第２散乱板１０９について説明する。散乱板の光拡散性を調べるため、図４に示すような測定系を用いた。光源４０１から平行光を散乱板４０３に入射させ、散乱板４０３を直進した透過光を受光部４０４によって検出した。このとき、散乱板４０３を回転４０２させて、透過光の強度を測定した。図４の測定系で測定した結果を図５に示す。横軸が拡散板の回転角度を示し、散乱板に光源からの平行光が垂直入射した時を０°とする。右回りが負、左回りが正である。縦軸が透過光強度を示している。図中の５０１は、光拡散性のない透明なアクリル板の特性である。５０２は弱い光拡散性を持つ散乱板の特性であり、５０３は強い光拡散性を持つ散乱板の特性である。さらに、５０４は−３０°〜＋３０°の範囲に強い光拡散性を持つ散乱板の特性であり、５０５は−６０°〜０°の範囲に強い光拡散性をを持つ散乱板の特性である。本実施形態では、第１散乱板１０８に図５における５０２の特性の光拡散性を持つ散乱板、第２散乱板１０９には図５における５０５の特性を持つ光拡散性を持つ散乱板をそれぞれ用いた。
【００２５】
次に、反射表示について説明する。外光は図１における偏光板１０６、位相差板１０７、第１散乱板１０８、第２散乱板１０９、カラーフィルタ１１０をそれぞれ透過し、液晶層１０５を通過後、鏡面状態の反射電極１０３によって反射され、再び偏光板１０６から液晶セルの外へ出射される。このとき、液晶層１０５への印加電圧によって入射光の偏光状態が変化し、明状態と暗状態、及びその中間の明るさを制御する。第１散乱板１０８及び第２散乱板１０９は、反射電極１０３の鏡面感や金属感を白濁させ、外光の正反射方向以外でも明るい表示を認識することができるようにする効果がある。このとき、散乱板を１層だけ用いるのではなく、本実施形態のように２層用いることで、広視野角で明るく、表示のにじみ（ボケ）や混色などのない反射型の液晶装置を実現することができた。第２散乱板１０９によって、指向性を持たせた非常に明るい表示が可能となり、第１散乱板１０８によって、視野角を広げることができる。第２散乱板１０９は住友化学工業株式会社製の光制御フィルム（商品名：ルミスティ）のように、指向性を持たせるために異なる屈折率の材料を周期的に形成しているものが多い。このようなフィルムを散乱板として単独で用いると、光制御フィルム特有の光干渉による色付きやぎらつきが見られる。これを緩和させるために、第１散乱板１０８は非常に有効であり、本実施形態ではこれを確認した。
【００２６】
本実施形態で、１枚偏光板型の反射型液晶装置について説明をしたが、液晶層に偏光板を不要とするような高分子散乱型の液晶や二色性の色素を添加したゲストホスト液晶を用いてもよい。この時は本実施形態で用いた偏光板や位相差板は不要となる。
【００２７】
上述したような本実施例の構成によれば、広視野角で明るく、表示のにじみ（ボケ）や混色などのない反射型の液晶装置が実現できた。
【００２８】
また、本実施形態では、反射層が画素電極を兼ねているが、反射層の上に保護膜または絶縁膜を形成してからＩＴＯなどの透明電極を形成して、画素電極としてもよい。
【００２９】
（第２実施形態）
図２は本発明に係る液晶装置の第２実施形態の構造を示す概略縦断面図である。この実施形態は基本的に単純マトリクス型の液晶表示装置に関するものであるが、同様の構成によりアクティブマトリクス型の装置や他のセグメント型の装置、その他の液晶装置にも適用することは可能である。
【００３０】
この実施形態では、２枚の基板２０１、２０２の間に液晶層２０５が枠状のシール材２０４によって封止された液晶セルが形成されている。液晶層２０５は、負の誘電異方性を持つネマチック液晶で構成されている。上側の透明基板２０１の内面上にはカラーフィルタ２１０が形成され、このカラーフィルタには、Ｒ（赤）、Ｇ（緑）、Ｂ（青）の３色の着色層が所定パターンで配列されている。カラーフィルタ２１０の表面上には透明な保護膜２１１が被覆されており、この保護膜２１１の表面上に複数のストライプ状の透明電極２１２がＩＴＯなどにより形成されている。透明電極２１２の表面上には液晶を垂直に配向させる配向膜が形成され、所定方向にラビング処理が施されている。このラビング処理によって、液晶分子はラビング方向に約８５度のプレティルト角を有している。
【００３１】
一方、下側の基板２０２の内面上には、上記カラーフィルタの着色層毎に形成されたストライプ状の反射電極２０３が上記透明電極２１２と交差するように複数配列されている。ＭＩＭ素子やＴＦＴ素子を備えたアクティブマトリクス型の装置である場合には、各反射電極２０３は矩形状に形成され、アクティブ素子を介して配線に接続される。この反射電極２０３はＣｒやＡｌなどにより形成され、その表面は透明基板２０１の側から入射する光を反射する鏡面状態の反射面となっている。反射電極２０３の表面上には上記と同様の配向膜が形成される。なお、この配向膜にはラビング処理を施さない。
【００３２】
反射電極２０３には、１．０重量％のＮｄを添加したＡｌを５００オングストロームの厚みでスパッタした金属膜を用いた。上側の透明基板２０１の外面上に第１散乱板２０８、偏光板２０６が配置され、偏光板２０６と透明基板２０１との間に位相差板（１／４波長板）２０７と第２散乱板２０９が配置されている。このとき、第１散乱板２０８には図５中の５０２の光拡散性を持つ散乱板を、第２散乱板２０９には図５中の５０３の光拡散性を持つ散乱板を用いた。第１散乱板２０８は反射型液晶装置の最表面に位置するので、アンチグレアの効果も兼ねることができる。
【００３３】
外光は図２における第１散乱板２０８、偏光板２０６、位相差板２０７、第２散乱板２０９、カラーフィルタ２１０をそれぞれ透過し、液晶層２０５を通過後、反射電極２０３によって反射され、再び第１散乱板２０８から液晶セルの外へ出射される。このとき、液晶層２０５への印加電圧によって入射光の偏光状態が変化し、明状態と暗状態、及びその中間の明るさを制御する。
【００３４】
この実施形態では、弱い光拡散性（ヘイズ：約３％〜１０％）を有する第１散乱板２０８を液晶セル前面に配置することによって、液晶セル表面での正反射を抑えることができる。この液晶装置は、光拡散性の強い散乱板を偏光板の下に配置することで入射光側への散乱（後方散乱）のうち半分を偏光板によって吸収してしまうため、鮮明でコントラストが高く発色のよい反射型のカラー表示を得ることができた。
【００３５】
（第３実施形態）
図３は本発明に係る液晶装置の第３実施形態の構造を示す概略縦断面図である。この実施形態は基本的に単純マトリクス型の液晶表示装置に関するものであるが、同様の構成によりアクティブマトリクス型の装置や他のセグメント型の装置、その他の液晶装置にも適用することは可能である。
【００３６】
この実施形態では、２枚の基板３０１、３０２の間に液晶層３０５が枠状のシール材３０４によって封止された液晶セルが形成されている。液晶層３０５は、所定のツイスト角を持つネマチック液晶で構成されている。上側の透明基板３０１の内面上にはカラーフィルタ３１０が形成され、このカラーフィルタには、Ｒ（赤）、Ｇ（緑）、Ｂ（青）の３色の着色層が所定パターンで配列されている。カラーフィルタの表面上には透明な保護膜３１１が被覆されており、この保護膜の表面上に複数のストライプ状の透明電極３１２がＩＴＯなどにより形成されている。透明電極３１２の表面上には配向膜が形成され、所定方向にラビング処理が施されている。また、上側の透明基板３０１の外面上に偏光板３０６、第１散乱板３０８、位相差板３０７、第２散乱板３０９が配置されている。
【００３７】
一方、下側基板３０２の内面上には、上記カラーフィルタの着色層毎に形成されたストライプ状の反射電極３０３が上記透明電極３１２と交差するように複数配列されている。ＭＩＭ素子やＴＦＴ素子を備えたアクティブマトリクス型の装置である場合には、各反射電極３０３は矩形状に形成され、アクティブ素子を介して配線に接続される。この反射電極３０３はＣｒやＡｌなどにより形成され、その表面は透明基板３０１の側から入射する光を反射する鏡面状態の反射面となっている。反射電極３０３の表面上には上記と同様の配向膜が形成される。第１散乱板３０８には図５中の５０４の光拡散性を持つ散乱板を、第２散乱板３０９には図５中の５０２の光拡散性を持つ散乱板をそれぞれ用いた。
【００３８】
反射表示について説明する。外光は図３における偏光板３０６、第１散乱板３０８、位相差板３０７、第２散乱板３０９、カラーフィルタ３１０をそれぞれ透過し、液晶層３０５を通過後、鏡面状態の反射電極３０３によって反射され、再び偏光板３０６から液晶セルの外へ出射される。このとき、液晶層３０５への印加電圧によって入射光の偏光状態が変化し、明状態と暗状態、及びその中間の明るさを制御する。第１散乱板３０８及び第２散乱板３０９は、反射電極３０３の鏡面感や金属感を白濁させ、外光の正反射方向以外でも明るい表示を認識することができるようにする効果がある。このとき、散乱板を１層だけ用いるのではなく、本実施形態のように２層用いることで、広視野角で明るく、表示のにじみ（ボケ）や混色などのない反射型の液晶装置を実現することができた。第１散乱板３０８によって、指向性を持たせた非常に明るい表示が可能となり、第２散乱板３０９によって、視野角を広げることができる。また、第１散乱板３０８は住友化学工業株式会社製の光制御フィルム（商品名：ルミスティ）のように、指向性を持たせるために異なる屈折率の材料を周期的に形成しているものが多い。このようなフィルムを散乱板として単独で用いると、光制御フィルム特有の光干渉による色付きやぎらつきが見られる。これを緩和させるために、第２散乱板３０９は非常に有効であり、本実施形態ではこれを確認した。
【００３９】
上述したような本実施例の構成によれば、広視野角で明るく、表示のにじみ（ボケ）や混色などのない反射型の液晶装置が実現できた。
【００４０】
また、本実施形態では、反射層が画素電極を兼ねているが、反射層の上に保護膜または絶縁膜を形成してからＩＴＯなどの透明電極を形成して、画素電極としてもよい。
【００４１】
最後に、上記の各実施形態に用いるカラーフィルタの着色層について述べる。各実施形態においては、反射型表示を行う場合、入射光が一旦カラーフィルタのいずれかの着色層を透過した後、液晶層を通過して反射電極によって反射され、再び着色層を透過してから放出される。したがって、通常の透過型の液晶装置とは異なり、カラーフィルタを二回通過することになるため、通常のカラーフィルタでは表示が暗くなる。そこで、各実施形態では、カラーフィルタのＲ、Ｇ、Ｂの各着色層の可視領域における最低透過率が３０〜５０％になるように淡色化して形成している。着色層の淡色化は、着色層の膜厚を薄くしたり、着色層に混合する顔料若しくは染料の濃度を低くしたりすることによってなされる。このことによって、反射型表示を行う場合に表示の明るさを低下させないように構成することができる。
【００４２】
以上の各実施形態では、散乱板はそれぞれ単体であるものを用いたが、位相差板と散乱体が一体となったようなフィルムでもよい。また、位相差板や偏光板の拡散層に光拡散性を持たせたものでもよい。
【００４３】
（第４実施形態）
本発明の電子機器の例を３つ示す。本発明の液晶装置は、反射型なので、様々な環境下で用いられ、しかも低消費電力が必要とされる携帯機器に適している。例えば、図６（ａ）は携帯電話であり、（ｂ）は腕時計であり、（ｃ）は携帯情報機器である。本発明の液晶装置は表示のにじみ（ボケ）などがなく表示品質が高いので、高精細な表示を必要とする場合には最適である。近年、情報量の増大と情報インフラの整備によって、携帯の頻度が高い電子機器が数多く製造・販売されている。このような電子機器の表示部には本発明の液晶装置は最適であり、特にカラー表示が必要な時には非常に明るく、視野角が広く、発色のよい表示を可能にする。
【００４４】
【発明の効果】
以上説明したように本発明によれば、広視野角で明るく、表示のにじみ（ボケ）や混色などのない反射型の液晶装置を実現できる。
【図面の簡単な説明】
【図１】本発明に係る液晶装置の第１実施形態の概略構造を示す概略縦断面図である。
【図２】本発明に係る液晶装置の第２実施形態の概略構造を示す概略縦断面図である。
【図３】本発明に係る液晶装置の第３実施形態の概略構造を示す概略縦断面図である。
【図４】散乱板の光拡散性を測定する測定系の概略図である。
【図５】図４の測定系で測定した散乱板の特性を示す図である。
【図６】本発明に係る液晶装置を搭載した電子機器の概略図である。
【符号の説明】
１０１、１０２、２０１、２０２、３０１、３０２  透明基板
１０３、２０３、３０３  反射電極
１０４、２０４、３０４  シール材
１０５、２０５、３０５  液晶層
１０６、２０６、３０６  偏光板
１０７、２０７、３０７  位相差板
１０８、２０８、３０８  第１散乱板
１０９、２０９、３０９  第２散乱板
１１０、２１０、３１０  カラーフィルタ
１１１、２１１、３１１  保護膜
１１２、２１２、３１２  透明電極
４０１  光源
４０２  回転軸
４０３  散乱板
４０４  受光部
５０１  光拡散性のない透明なアクリル板の特性
５０２  弱い光拡散性を持つ散乱板の特性
５０３  強い光拡散性を持つ散乱板の特性
５０４  −３０°〜＋３０°の範囲に強い光拡散性を持つ散乱板の特性
５０５  −６０°〜０°の範囲に強い光拡散性を持つ散乱板の特性
【図１】
0003570419.tif 000002
【図２】
0003570419.tif 000003
【図３】
0003570419.tif 000004
【図４】
0003570419.tif 000005
【図５】
0003570419.tif 000006
【図６】
0003570419.tif 000007